(57)【特許請求の範囲】
【請求項１】
ウエブを拡布状態で前後方向に搬送するテンター装置であって、
ウエブの搬送路の左右両側に配された左右一対のテンターレールと、
前記左右一対のテンターレールに沿ってそれぞれ移動する左右一対のテンターチェーンと、
前記左右一対のテンターチェーンに所定間隔毎に設けられたウエブ固定用の固定部材と、
を有したウエブのテンター装置において、
前記テンターチェーンの左右両側に前記テンターレールの支持壁がそれぞれ配され、
前記テンターチェーンには、前記テンターチェーンが前記テンターレールの左右両支持壁に沿って移動するためのコロが回動自在に設けられ、
前記コロが、上下二段の上コロと下コロとよりなる上下二段構造である
ことを特徴とするウエブのテンター装置。
【請求項２】
前記ウエブ固定用の固定部材からピンが植設されている
ことを特徴とする請求項１記載のウエブのテンター装置。
【請求項３】
前記ウエブ固定用の固定部材がクリップである
ことを特徴とする請求項１記載のウエブのテンター装置。
【発明の詳細な説明】
【０００１】
【発明の属する技術分野】
本発明は、フィルム、エンプラフィルム、布等のウエブを拡布状態で搬送するテンター装置に関し、特に、２５０℃〜５００℃の高温の環境下で使用されるウエブのテンター装置に関するものである。
【０００２】
【従来の技術】
図４に示すように、フィルム２を延伸状態、すなわち拡布状態で熱処理するためのテンター装置１が知られている。このテンター装置１は、フィルム２の両耳をピンまたはクリップで保持しながら、熱処理装置内部を移動させる。
【０００３】
従来、汎用樹脂フィルムを熱処理する場合には、熱処理装置内部の温度が最高でも２５０℃であるため、コンベアチェーンで構成されるテンターチェーンに耐熱油を給油して使用している。
【０００４】
【発明が解決しようとする課題】
しかしながら、最近のエンプラフィルム、特にＰＩフィルムでは、最高５００℃での熱処理が必要になってきている。そのため、耐熱油を給油しても、高温のためにすぐに蒸発するため、無給油でテンター装置を動作させる必要がある。
【０００５】
図５及び図６は、従来のテンター装置におけるテンターレール１００と、このテンターレール１００に沿って移動するテンターチェーン１０２の拡大縦断面図である。
【０００６】
図５に示すように、テンターレール１００には、テンターチェーン１０２を移動させるためのローラ１０４が所定間隔毎に設けられ、この複数のローラ１０４の上をテンターチェーン１０２が移動する。この場合に、テンターチェーン１０２の移動を支持するために、一対の支持壁１０６，１０８が設けられている。
【０００７】
また、支持壁１０６，１０８に沿ってテンターチェーン１０２が移動するために、テンターチェーン１０２には、円筒形のコロ１１０が回動自在に設けられている。
【０００８】
さらに、テンターチェーン１０２より突出した固定部材１１２には、フィルム２がピン１１４によって固定されている。
【０００９】
ところで、フィルム２を固定部材１１２に固定した場合には、フィルム２の張力により、コロ１１０は、図５に示すように、その上部は右側の内側支持壁１０６に接触し、コロ１１０の下側は左側の外側支持壁１０８に接触する。そのために、この状態でテンターチェーン１０２が移動すると、コロ１１０の上側の接点Ａでは、矢印Ｘの方向に回転し、コロ１１０の下側の接点Ｂでは、矢印Ｙの方向に回転しようとする。
【００１０】
そして、このような回転が続くと、結果としてコロ１１０は図６に示すような摩耗の状態となる。このように摩耗したコロ１１０は回転せず摺動し、また、摩耗により金属粉が発生することとなる。
【００１１】
そこで、本発明は上記問題点に鑑み、高温の環境下でも無給油で動作し、かつ、コロの摩耗がないテンター装置を提供するものである。
【００１２】
【課題を解決するための手段】
本発明の請求項１の発明は、ウエブを拡布状態で前後方向に搬送するテンター装置であって、ウエブの搬送路の左右両側に配された左右一対のテンターレールと、前記左右一対のテンターレールに沿ってそれぞれ移動する左右一対のテンターチェーンと、前記左右一対のテンターチェーンに所定間隔毎に設けられたウエブ固定用の固定部材と、を有したテンター装置において、前記テンターチェーンの左右両側に前記テンターレールの支持壁がそれぞれ配され、前記テンターチェーンには、前記テンターチェーンが前記テンターレールの左右両支持壁に沿って移動するためのコロが回動自在に設けられ、前記コロが、上下二段の上コロと下コロとよりなる上下二段構造であるものである。
【００１３】
請求項２のウエブのテンター装置は、請求項１のものにおいて、前記ウエブ固定用の固定部材にピンが植設されている。
【００１４】
請求項３のウエブのテンター装置は、請求項１のものにおいて、前記ウエブ固定用の固定部材がクリップである。
【００１５】
本発明のウエブのテンター装置であると、コロが上コロと下コロとよりなる上下２段構造であるため、上コロは、テンターレールの一方の支持壁に接触して一方向に回転し、下コロは他方の支持壁に接触して回転するが、下コロは上コロと独立してりために上コロと反対の方向に回転可能であり、摩耗することがない。
【００１６】
【発明の実施の形態】
以下、本発明の一実施例を図１から図４に基づいて説明する。
【００１７】
本実施例のフィルム２のテンター装置１の主な構造は、従来技術で示したものと同様であり、その違いはテンターチェーン１０の構造にある。
【００１８】
まず、そのテンターチェーン１０の構造を説明する前に、テンター装置１の構造について説明する。
【００１９】
テンター装置１は、図４に示すように、拡布状態で搬送するフィルム２の両耳に左右一対のテンターレール１２，１２が設けられている。このテンターレール１２には、それぞれ無端のテンターチェーン１０が移動可能となっている。すなわち、テンターチェーン１０は、テンターレール１２の前後にそれぞれあるホイール４，５によって移動可能となっている。そして、ホイール４，４が駆動ホイールとなっている。
【００２０】
次に、上記で説明したテンターチェーン１０と、テンターレール１２の構造について図１〜図３に基づいて詳しく説明する。
【００２１】
テンターレール１２は、図１に示すように、左右一対の内側支持壁１４と外側支持壁１６とよりなり、内側支持壁１４と外側支持壁１６との間には所定間隔毎にローラ１８が回動自在に配されている。そして、テンターチェーン１０は、ローラ１８の上を滑りながら内側支持壁１４、外側支持壁１６の間を移動する。
【００２２】
テンターチェーン１０は、図２及び図３に示すように、第１上プレート２２と第２上プレート２４とが交互に配され、その下側には第１下プレート２６と第２下プレート２８が交互に配されている。これら第１上プレート２２、第２上プレート２４とを回動自動に接続するために円柱形の固定軸２０の上部で両プレート２２，２４が重ねて接続され、第１下プレート２６と第２下プレート２８を接続するために、固定軸２０の下部で両プレート２６，２８が重ねて接続されている。
【００２３】
これら４枚のプレート２２〜２８を回動自在に固定するために、固定軸２０の上端部には雄ネジ部が設けられ、ワッシャ３０を経てナット３２で固定されている。
【００２４】
また、第１上プレート２２、第２上プレート２４と第１下プレート２６、第２下プレート２８との間の固定軸２０には、円筒形のコロ３４が回動自在に挿入されている。そして、このコロ３４はスペーサ３６を介して上コロ３８と下コロ４０とよりなる２段構造となっている。上コロ３８及び下コロ４０の内周側には、固定軸２０に対して回動自在になるようにステンレス製の円筒形のブッシュ４２が介されている。
【００２５】
上コロ３８と下コロ４０よりなるコロ３４は、左右一対の内側支持壁１４と外側支持壁１６との間を回動しながら移動する。
【００２６】
第１上プレート２２からは、テンター装置１の内側に向かって固定部材４４が延設され、固定部材４４の内側端部上面には、フィルム２を固定するためのピン４６が突設している。
【００２７】
上記構成のテンター装置１において、テンターレール１２をテンターチェーン１０が移動する状態について説明する。
【００２８】
図１に示すように、テンターチェーン１０は、複数のローラ１８の上を移動する。この場合に、フィルム２が張設されているため、テンターチェーン１０の固定軸２０の回転軸は、図１に示すように、上ほど内側に傾斜している。すなわち、上コロ３８は、内側支持壁１４に接触し、下コロ４０は外側支持壁１６に接触する。そして、上コロ３８は内側支持壁１４に接触して図１における矢印Ｘの方向に回動する。一方、外側支持壁１６に接触している下コロ４０は、図１における矢印Ｙの方向に回転する。このように、上コロ３８と下コロ４０の回転方向は全く反対方向であるが、コロ３４が上下２段に分割されているため、それぞれの回転が可能となり、従来のようなコロの摩耗が発生することがない。
【００２９】
そのため、無給油でテンター装置１を動作させることができ、すなわち、エンプラフィルム、ＰＩフィルム等のフィルム２を高温（２５０℃〜５００℃）の環境下においても無給油で動作させることができる。
【００３０】
また、コロ３４の摩耗がないため、金属粉の発生が少なくなり、テンターチェーン１０の寿命の向上にも貢献できる。
【００３１】
さらに、この金属粉が発生しないためフィルム２への付着が少なくなるという効果もある。特に、電子材料用途のフィルム２においてはこの金属粉の付着が問題とされるが、本実施例のテンター装置１ではこのような問題が発生しない。
【００３２】
上記実施例では、テンター装置１はピンテンター装置として説明したが、これに代えて固定部材４４にフィルム２をつかむためのクリップを設けたクリップテンター装置であっても同様の効果を得ることができる。
【００３３】
また、本実施例のテンター装置は、高温の環境下で使用するのが好適であるが、低温の環境下で使用してもよい。
【００３４】
さらに、フィルム２に限らず、布などの他の長尺上のウエブでもよい。
【００３５】
【発明の効果】
以上により本発明のウエブのテンター装置であると、テンターチェーンのコロが上下２段の上コロと下コロとよりなり、それぞれの上コロと下コロがそれぞれの方向に回転するため、コロの摩耗が発生することがない。そのため、高温の環境下においても無給油の状態でテンター装置を動作させることができる。
【図面の簡単な説明】
【図１】本発明の一実施例を示すテンターレールとテンターチェーンの正面から見た縦断面図である。
【図２】同じく横から見た縦断面図である。
【図３】同じく平面図である。
【図４】テンター装置の平面図である。
【図５】従来のテンターレールとテンターチェーンの前から見た縦断面図である。
【図６】従来のコロにおいて摩耗した状態を示す正面図である。
【符号の説明】
１０  テンターチェーン
１２  テンターレール
１４  内側支持壁
１６  外側支持壁
１８  ローラ
２０  固定軸
３４  コロ
３６  スペーサ
３８  上コロ
４０  下コロ
４４  固定部材
４６  ピン
【図１】
0003546256.tif 000002
【図２】
0003546256.tif 000003
【図３】
0003546256.tif 000004
【図４】
0003546256.tif 000005
【図５】
0003546256.tif 000006
【図６】
0003546256.tif 000007